(57)【要約】【課題】トイレットペーパーをロールから切り取った後、ロールが自動回転した際、次に使用するための取り代が確実に垂れ落ちるロールペーパーホルダーを提供する。【解決手段】カバー本体４１を押し下げると、案内部材５がロールペーパー２のロール体２１の外周に沿って後退し、カバー本体４１の下側に移動する。カバー本体４１の端部４２に沿ってペーパー２２を切り取り、カバー本体４１を元の位置に復帰させると、案内部材５が元の位置に復帰する。この際、案内部材５がペーパー２２の下側に位置するので、ペーパー２２をロール体２１から剥がす作用を発揮する。同時に、回動駆動手段の作用によってロール体２１が回転し、ペーパー２２が下側に垂れさがる。【選択図】図３
2013198714.tif 000002
【特許請求の範囲】
【請求項１】
一対の側部材と、
該側部材を離間させた状態で連結する基材と、
前記一対の側部材の間に架設され、ロールペーパーの芯に挿通される芯部材と、
前記芯部材に接続されて、前記芯部材を所定角度回転させる回転駆動手段と、
前記一対の側部材の間に支持され、架設された芯部材に取り付けられたロールペーパーに覆い被さって、先端辺がロールペーパーの外周に押接された作用位置と、ロールペーパーから離れた待機位置との間で揺動可能なカバー部材と、
前記カバー部材を、作用位置から待機位置へ向けて付勢する付勢部材と、
前記カバー部材の作用位置から待機位置への復帰によって、前記回転駆動手段の動力を伝達する動力伝達手段と、
前記カバー部材に接続され、ロールペーパーの最外周に巻きつけられたペーパーとロールペーパーとの間に位置し、前記カバー部材の揺動に伴って、ロールペーパーの外周面に沿って周方向に移動する案内部材とを備えることを特徴とするロールペーパーホルダー。
【請求項２】
前記案内部材は、ロールペーパーの幅方向に配置された薄板状の案内片を備え、該案内片は、ロールペーパーの周面に沿って回動可能に支持されている請求項１に記載のロールペーパーホルダー。
【請求項３】
前記案内片は、前記カバー部材の揺動に基づいて、案内片待機位置と案内片収納位置との間で往復動し、案内片待機位置は、カバー部材の作用位置における先端辺よりも下側に位置する請求項１又は２に記載のロールペーパーホルダー。
【請求項４】
前記カバー部材を作用位置で固定する係止手段を備え、
該係止手段は、各側部材の内側に配置された係止部と、
前記カバー部材から前記各側部材へ向けて先端部が出没自在に設けられ、前記カバー部材から先端部が突出し、前記係止部に係り止められることによって、前記カバー部材を作用位置において固定する係脱部材と、
前記係脱部材を、カバー部材から突出して係止部に係止した固定作用状態と、カバー部材側へ後退して、カバー部材が自由揺動可能となる解除状態との間で往復動操作する操作部材とを有する請求項１〜３のいずれか１に記載のロールペーパーホルダー。
【発明の詳細な説明】
【技術分野】
【０００１】
この発明は、ロールペーパーホルダーに係り、詳しくは、ロールペーパーを回転させて繰り出すロールペーパーホルダーに関するものである。
【背景技術】
【０００２】
トイレットペーパーなどのように、芯に巻きつけられたペーパー(ロール紙)を適宜引き出し、切り取って使用する場合において、切り取り後、半自動的にロールペーパーを回転させて、次に使用するための取り代として、巻きつけられているペーパーを、繰り出す装置が提案されている。
【先行技術文献】
【特許文献】
【０００３】
【特許文献１】特開２００９−１０６７１７公報
【発明の概要】
【発明が解決しようとする課題】
【０００４】
トイレットペーパーを使用する場合には、トイレットペーパーのロールに上側からカバーの縁を押し付け、その縁に沿って巻きつけられている紙を切り取る。この時、巻きつけられている側のトイレットペーパーの端が、カバーの縁に沿って残るが、カバーの縁をロールから離した後も、ロール側に付いた状態となり、次に使用するための取り代として垂れ落ちない場合がある。この状態で、ロールが自動的に回転すると、巻きつけられているトイレットペーパーは、垂れ落ちることなくロールと共に回転し、裏側に巻き込まれてしまうといった問題があった。
【０００５】
この発明は、トイレットペーパーをロールから切り取った後、ロールが自動回転した際、次に使用するための取り代が確実に垂れ落ちるロールペーパーホルダーを提供することを目的とするものである。
【課題を解決するための手段】
【０００６】
以上のような問題を解決する本発明は、以下のような構成を有する。 
（１）  一対の側部材と、
該側部材を離間させた状態で連結する基材と、
前記一対の側部材の間に架設され、ロールペーパーの芯に挿通される芯部材と、
前記芯部材に接続されて、前記芯部材を所定角度回転させる回転駆動手段と、
前記一対の側部材の間に支持され、架設された芯部材に取り付けられたロールペーパーに覆い被さって、先端辺がロールペーパーの外周に押接された作用位置と、ロールペーパーから離れた待機位置との間で揺動可能なカバー部材と、
前記カバー部材を、作用位置から待機位置へ向けて付勢する付勢部材と、
前記カバー部材の作用位置から待機位置への復帰によって、前記回転駆動手段の動力を伝達する動力伝達手段と、
前記カバー部材に接続され、ロールペーパーの最外周に巻きつけられたペーパーとロールペーパーとの間に位置し、前記カバー部材の揺動に伴って、ロールペーパーの外周面に沿って周方向に移動する案内部材とを備えることを特徴とするロールペーパーホルダー。
【０００７】
（２）前記案内部材は、ロールペーパーの幅方向に配置された薄板状の案内片を備え、該案内片は、ロールペーパーの周面に沿って回動可能に支持されている上記（１）に記載のロールペーパーホルダー。
【０００８】
（３）前記案内片は、前記カバー部材の揺動に基づいて、案内片待機位置と案内片収納位置との間で往復動し、案内片待機位置は、カバー部材の作用位置における先端辺よりも下側に位置する上記（１）又は（２）に記載のロールペーパーホルダー。
【０００９】
（４）前記カバー部材を作用位置で固定する係止手段を備え、
該係止手段は、各側部材の内側に配置された係止部と、
前記カバー部材から前記各側部材へ向けて先端部が出没自在に設けられ、前記カバー部材から先端部が突出し、前記係止部に係り止められることによって、前記カバー部材を作用位置において固定する係脱部材と、
前記係脱部材を、カバー部材から突出して係止部に係止した固定作用状態と、カバー部材側へ後退して、カバー部材が自由揺動可能となる解除状態との間で往復動操作する操作部材とを有する請求項１〜３のいずれか１に記載のロールペーパーホルダー。
【発明の効果】
【００１０】
請求項１に記載の発明によれば、カバー部材をロールペーパーへ押し付けて作用位置とし、ペーパーを切り取った後、カバー部材を待機位置へ復帰させる。この復帰の際に、付勢部材の付勢力によって回転駆動手段に動力が供給され、芯部材が回転する。芯部材の回転によってロールペーパーが回転し、巻き付けられているペーパーが繰り出される。ここで、案内部材がペーパーとロールペーパーの外周面の間に位置するため、最も外側に巻き付けられているペーパーが、ロールペーパーの外周から離れて垂れ下がり易くなり、ロールペーパーに付着したまま巻き込まれるといった不都合が抑制される。
【００１１】
請求項２に記載の発明によれば、案内片は薄板状であるのでロールペーパーの外周面と、最も外側に巻き付けられているペーパーとの間で、ペーパーを噛みこむことなく、滑らかに移動することが容易となる。また、案内片はロールペーパーの周面に沿って接触面の角度を調整できるように回動可能に構成されているので、移動とともにロールペーパーの周面に沿って回動でき、一層滑らかに周面を移動可能となる。 
請求項３に記載の発明によれば、案内片待機位置が、カバー部材の作用位置における先端辺より下側に位置するので、案内本が案内片待機位置に復帰することで、カバー部材のロールペーパーへの押し付けによって、ロール体に付いた最も外側のペーパーを、より確実に剥がすことができる。
【００１２】
請求項４に記載の発明によれば、係脱部材を係止部に係合させてカバー部材を固定することによって、片手でロールペーパーを切り取ることができる。また、ペーバーを引き出してから、カバー部材を押し下げロール体の表面に押し当て、ペーパを切り取って、カバー部材の固定を解除するまでの、全ての操作を片手で行うことができる。
【図面の簡単な説明】
【００１３】
【図１】本発明のロールペーパーホルダーの構成を示す全体斜視図である。
【図２】芯材が装着された状態を示すロールペーパーホルダーの部分拡大斜視図である。
【図３】ロールペーパーホルダーにロールペーパーが装填された状態を示す全体斜視図である。
【図４】案内片の構成を示す拡大断面図である。
【図５】係止手段によってカバー部材が作用位置で固定された状態を示す全体斜視図である。
【図６】側部材に設けられた収容部内の構造を示す模式図である。
【図７】側部材に設けられた収容部内の構造の他の構成例を示す模式図である。
【発明を実施するための形態】
【００１４】
以下、本発明のロールペーパーホルダー１の好適実施形態について詳説する。図１は、本発明のロールペーパーホルダー１の構成を示す全体斜視図である。本発明のロールペーパーホルダー１は、ロールペーパーを収容するホルダー本体３と、カバー部材４と、案内部材５と、芯部材６とを有しており、ホルダー本体３には、芯部材６に接続されて、該芯部材６を回転させる回転駆動手段８と、回転駆動手段８に動力伝達手段７とが設けられている。 
ホルダー本体３は、平行に配置された、一対の側部材３２、３３を有し、該側部材３２、３３は、背面側を背面部材３１で、底部を底部材３４で、上端部を天部材３５で、それぞれ連結され、全体として箱状に構成されている。
【００１５】
図２に示されているように、ホルダー本体３の正面側は開口し、芯部材６が装着されロールペーパー２が正面側から装填できる構成となっている。側部材３２、３３には、それぞれ対向する面に、背面側へ向けて下方へ伸びる収容溝３２１、３３１がそれぞれ京成されている。この収容溝３２１、３３１に、芯部材６の両端が正面側から挿入され、収容溝３２１、３３１の最奥部で、芯部材６を回転自在に支持する構成となっている。また、片方の収容溝３３１の最奥部には、孔３３２が形成され、該孔３３２には、接続回転部材８６が収容されている。接続回転部材８６には、円周方向に凹凸が形成された駆動側係合部８７が設けられ、芯部材６の一端部６２の端面に形成された同形状凹凸で形成された従動側係合部６２と係合する。
【００１６】
芯部材６の他端部６４は、収容溝３２１内に収容され、その端面は平面となっており、回転時には収容溝３２１内で摺動する。芯部材６は、両端に既述の端部６２、６４を有する軸部６１と、軸部６１の周方向に複数配置された押接部材６３とを備えている。 
押接部材６３は、この実施形態では弾性を有する線材で構成され、湾曲状に弾性変形させられた状態で、軸部６１の両端近傍に、両端が接続固定されている。このように構成された芯部材６は、図３に示されているように、ロールペーパー２の芯部に形成された孔２３に挿入される。複数の押接部材６３において、軸部６１から最も離れた頂点部を繋ぐ円周の直径は、ロールペーパー２の孔２３の直径よりも大きく構成されている。このため、ロールペーパー２の孔２３内では、押接部材６３は、軸部６１の中心方向に弾性変形させられた状態となるので、押接部材６３は、ロールペーパー２の孔２３の内壁に押し付けられた状態となり、押接部材６３とロールペーパー２との摩擦によって、ロールペーパー２と、芯部材６は一対回転する。
【００１７】
ロールペーパー２は、孔２３を備えた芯２４と、芯２４にペーパーが巻き付けられて構成されたロール部２１とを有している。芯２４に巻き付けられたペーパーをロール部２１から繰り出し、垂れさがった部分(ペーパー２２)を、カバー本体４１で押さえてから、破り取って使用する。 
カバー部材４は、側部材３２、３３の上部において、対向する面の間に架設された支持軸４０と、該支持軸４０に対してフリー揺動自在に支持されたカバー本体４１と、カバー本体４１の下側に突出したアーム４３とを備えている。また、カバー本体４１の下側において、カバー本体４１の支持軸４０にはカバー本体４１の下面に当接する当接片４５が設けられている。カバー本体４１をロールペーパー２へ向けて押し下げると、当接片４５がカバー本体４１によって押し下げられるとともに、支持軸４０がカバー本体４１と共に回転する構成となっている。
【００１８】
図１及び図３の実線に示されているように、上方に開放されたカバー待機位置と、ロールペーパー２の外周に押し付けられたカバー作用位置との間で揺動移動する。また、カバー本体４１は、ロールペーパー２を交換する際には、さらに上方にフリー揺動することができる。
【００１９】
また、支持軸４０の両端には、揺動部材５１ａ、５１ｂが固定されており、支持軸４０の回転と一体として揺動する構成となっている。揺動部材５１ａ、５１ｂは、正面方向に下方へ向けて平行に設けられ、さらにその先端には案内部材５が接続されている。案内部材５は、揺動部材５１ａ、５１ｂの先端にそれぞれ回動自在に接続された回動部材５２ａ、５２ｂと、回動部材５２ａ、５２ｂの先端部に接続された案内片５４とを備えている。案内片５４は、回動部材５２ａ、５２ｂの先端部にそれぞれ挿通してこれを連結する連結軸５３に固定された長尺の板材であって、ロールペーパー２のロール部２１と、最も外側に巻きつけられたロール紙２２の間に配置される。また、回動部材５２ａ、５２ｂの間には、横部材５５が架設されており、ロールペーパー２の上側に位置している。
【００２０】
以上のような構成において、カバー本体４１を揺動させて、ロールペーパー２の周面に押し付けると、同時に、揺動部材５１ａ、５１ｂが下方に揺動する。この時、回動部材５２ａ、５２ｂは、揺動部材５１ａ、５１ｂとの接続端が下方へ移動し、図３及び図４に示されているように、横部材５５と案内片５４がロールペーパー２の周面に沿って案内片収納位置に後退する（想像線）。案内片５４ａ、５４ｂは、横断面形状が屈曲形状であり、屈曲角が鈍角である。連結軸５３を挟むように、連結軸５３の両側に固定されている。連結軸５３は、回転部材５２ａ、５２ｂに対して回動自在に接続されており、案内片５４がロールペーパー２の周面に沿って移動する際には、外側面が周面に沿うように姿勢変更する。案内片５４ａ、５４ｂは、屈曲した傾斜面５４１ａ、５４２ａ、５４１ｂ、５４２ｂをそれぞれ備えるので、ロールペーパー２の柔らかい外周面を滑らかに移動することができる。案内片５４ａは、ロール部２１の外周面に接触し、案内片５４ｂは、最外周のペーパー２２の裏側に接触する。
【００２１】
案内片５４ａ、５４ｂは、ロール部２１と最外周のペーパー２２との間に介在し、ペーパー２２がロール部２１から剥がれて垂れさがるように作用する。特に本実施形態では、一対の案内片５４ａ、５４ｂの対向する傾斜面５４１ａ、５４１ｂ及び５４２ａ、５４２ｂは、交差角度が鋭角に配置されるので、案内片５４が移動することで、ロール部２１から最外周のペーパー２２を剥がす作用が、一層良好に発揮される。例えば、案内片５４が上方に移動する場合には、傾斜面５４１ａ、５４１ｂが楔のような作用を発揮して、ロール部２１に巻きついている最外周のペーパー２２を剥がす。また、カバー本体４１をロールペーパー２に押し付けて、ペーパーを引き千切った後、カバー本体４１を待機位置に復帰させた場合には、案内片５４が下降して、案内片待機位置に復帰する。この時、カバー体４１の押し付けによって、ロール部２１に張り付いた最外周のペーパー２２を剥がす作用が、案内片５４によって発揮される。
【００２２】
カバー部材４と側部材３２、３３との間には、係止手段４Ａが設けられている。
【００２３】
図１に示されているように、カバー本体４１の裏側には、係脱部材４６ａ、４６ｂが設けられ、側部材３２、３３の内側面には、それぞれ対向する位置に係止部３７ａ、３７ｂが配置されている。係脱部材４６ａ、４６ｂは、側部材３２、３３の間に架設された支持軸４０に平行に配置されている。各係脱部材４６ａ、４６ｂには、支持軸４０に対して平行な向きに形成されたスリット４６１ａ、４６１ｂを備え、各スリット４６１ａ、４６１ｂには、カバー本体４１側固定されたピン４６２ａ、４６２ｂが挿通している。このような構成によって、各係脱部材４６ａ、４６ｂは、支持軸４０に対して平行な向き往復動可能に支持されている。各係脱部材４６ａ、４６ｂは、先端部４６３ａ、４６３ｂがカバー本体４１の側端から突出した位置と、側端から内側に後退した位置との間で往復移動可能となっている。係脱部材４６ａ、４６ｂの、対向している各基端部には、相互に対称に傾斜する傾斜部４６４ａ、４６４ｂが形成されている。
【００２４】
係脱部材４６ａ、４６ｂに対して、これに直交する方向に操作部材４７が配置されている。係脱部材４６ａ、４６ｂの基端部の間には、操作部材４７の先端部４７１が挿入され、先端部４７１は、前記傾斜部４６４ａ、４６４ｂにそれぞれ接触する傾斜端辺を有する楔状に形成されている。操作部材４７には、係脱部材４６ａ、４６ｂと同様に、スリットを備え、そのスリットには、カバー本体４１に固定されたピンが挿通する。また、図５に示されているように、操作部材４７には、カバー本体４１の上側面に突出した操作摘み４９１が設けられている。操作摘み４９１は、ガバー本体４１に形成されたスリット４１１を挿通し、このスリット４１１によって案内されて、前後方向に移動する。操作部材４７の先端部４７１と、係脱部材４６ａ、４６ｂの間には、リンク４７２ａ、４７２ｂが接続されており、このリンク機構によって、操作部材４７を前後方向に往復移動させると、係脱部材４６ａ、４６ｂが相互に離れる方向と、近づく方向に往復移動する。
【００２５】
操作摘み４１１を手前方向（端辺４２へ向けて）移動させると、係脱部材４６ａ、４６ｂが相互に離れる方向に移動し、先端部４６３ａ、４６３ｂが、カバー本体４１の側端から突出する（固定作用状態）。また、操作摘み４１１を背面方向（支持軸４０へ向けて）移動させると、係脱部材４６ａ、４６ｂが相互に近づく方向に移動し、先端部４６３ａ、４６３ｂが、カバー本体４１の側端から内側に後退する（解除状態）。
【００２６】
側部材３２、３３の内側面には、それぞれ対向する位置に係止部３７ａ、３７ｂが配置されている。係止部３７ａ、３７ｂは、カバー本体４１が揺動した場合に、係脱部材４６ａ、４６ｂの先端部４６３ａ、４６３ｂが移動する軌跡上に沿って配置されており、先端部４６３ａ、４６３ｂを収容して係止するための係止凹部３７１ａ、３７１ｂが、前記軌跡上に複数個配列されている。係止部３７ａ、３７ｂにそれぞれ設けられている係止凹部３７１ａ、３７１ｂは、相互に対向する位置に設けられ、それぞれ対向する係止凹部３７１ａ、３７１ｂに、先端部４６３ａ、４６３ｂが係止される構成となっている。係止凹部３７１ａ、３７１ｂが、先端部４６３ａ、４６３ｂの軌跡に沿って複数個設けられているので、ペーパの消費によってロール体２１が細くなり、カバー本体４１の揺動角度が深くなっても、それに応じてカバー本体４１の固定位置を変更できるようになっている。
【００２７】
先端部４６３ａ、４６３ｂが、カバー本体４１の側端から突出すると、それぞれ係止凹部３７１ａ、３７１ｂに係合し、これにより、カバー本体４１は、作用位置で固定される。操作摘み４９１を元の位置に戻すことによって、解除状態となり、カバー本体４１がフリー状態となる。
【００２８】
次に、側部材３３について説明する。側部材３３は、外側から内側に向けて重ねられた３枚の板材３３ａ、３３ｂ、３３ｃを重ねあわせて構成されている。板材３３ａ、３３ｂの間の隙間には収容部３６が形成され、その収容部３６には、既述の回転駆動手段８に動力伝達手段７が収容されている。図６は、収容部３６内の構造を示す模式図であり、ホルダー本体３の内側から視認した場合の図である。
【００２９】
カバー本体４１の支持軸４０は、板材３３ｂ、３３ｃを貫通し、収納部３６内において、揺動アーム７１の基端部に接続されている。揺動アーム７１は、支持軸４０に固定されており、支持軸４０の回動と一対として揺動する。揺動アーム７１の先端には、付勢部材としてのスプリング７０の一端が接続され、スプリング７０の他端は、揺動アーム７１の上方において、板材３３ｂと板材３３ａの間に架設されたピンに接続されている。スプリング７０の作用によって、揺動アーム７１、支持軸４０を介して、カバー本体４１が上方へ揺動するように付勢される。
【００３０】
揺動アーム７１の先端には、揺動軸７３を介して連結部材７２の一端が揺動自在に接続されている。また、連結部材７２の他端には、往復駆動部材７４が接続されている。往復動部材７４には、端部にラック７６が形成されており、図示されていない案内機構によって、ラック７６の形成方向に向けて直線状に往復移動可能に設けられている。支持軸４０、揺動アーム７１、連結部材７２、往復駆動部材７４とによって、動力伝達手段としての作用を発揮する機構が構成される。カバー本体４１の押し下げによって、支持軸４０が右回転して揺動アーム７１が下方(矢印a方向)へ振れ、スプリング７０が伸張方向へ変形し、復元力が蓄積される。同時に、連結部材７２によって連結された往復駆動部材７４が下方に移動する。以上の通り、揺動アーム７１は、スプリング７０が変形していないアーム待機位置と、スプリング７０が伸張方向に変形したアーム移動位置との間で揺動する。
【００３１】
往復駆動部材７４のラック７６には、従動部材としての従動ギヤ８１のギヤが噛み合わされており、往復駆動部材７４の往復動によって、従動ギヤ８１が回動(矢印c方向)する構成となっている。往復駆動部材７４が下方に移動する時は、従動ギヤ８１は、左回転し、往復駆動部材７４がスプリング７０の復元力により上方へ移動するときは、右回転する。従動ギヤ８１には、これに追従して回転する回転部材８４が同軸状に設けられ、回転部材８４は回転軸８３を中心として従動ギヤ８１とともに一体回転する。
【００３２】
回転部材８４の外周部にはラッチ８４１が等間隔で複数配置され、ラッチ８４１には、回転部材８４方向に付勢されたストッパ８５の先端が係合している。ラッチ８４と、係止手段としてのストッパ８５によって、回転部材８４は、右回転(矢印d方向)のみ可能となり、左方向の回転はストッパ８５によって不能に構成されている。 
要するに、従動ギヤ８１と回転部材８４は、右回転する際は一体として回転し、左回転する場合には従動ギヤ８１のみが回転する。また、回転軸８３は回転部材８４と共に回転する。よって、回転軸８３は右方向(一方方向)にのみ回転する。
【００３３】
回転軸８３において、板材３３ｂ側の端には接続回転部材８６が固定されている。接続回転部材８６は回転軸８３と一体として回転する。回動駆動手段としての作用を発揮する機構は、従動ギヤ８１、回転部材８４、ストッパ８５とによって構成される。
【００３４】
以上のように構成されたロールペーパーホルダー１の作用について説明する。カバー本体４１を押し下げて、カバー本体４１の端辺４２をロールペーパー２の外周面に押し付ける。この際、カバー本体４１とともに支持軸４０が回転し、揺動部材５１ａ、５１ｂが下方へ揺動する。これにより、回転部材５２ａ、５２ｂが後下方へ引き付けられるとともに、横部材５５と案内片５４がロールペーパー２の周面に沿って後退し、案内片５４は、当初の位置よりも上方へ移動する。ロールペーパー２がペーパーの消費によって細くなっている場合には、回転部材５２ａ、５２ｂが後下方へ引き付けられる際、芯部材６の両端(ロールペーパー２の両端から露出した部分)に回転部材５２ａ、５２ｂが下縁部が接触し、その接触部分を支点として横部材５５と案内片５４が上方へ移動する。 
カバー本体４１の端辺がロールペーパー２に押し付けられた状態では、案内片５４は、カバー本体４１の下側に位置している。
【００３５】
また、カバー本体４１の押し下げによって回転した支持軸４０は、揺動アーム７１を下方へ揺動させる。これにより、スプリング７０が伸びる方向に変形し、復元力が蓄積される。また、連結部材７２を介して往復駆動部材７４が下方に移動し、従動ギヤ８１を左回転させる。この時、回転部材８４は、ストッパ８５によって左回転が止められており、従って、回転部材８４と一体となっている接続回転部材８６も回転することなく当初の位置を維持している。
【００３６】
カバー本体４１をロールペーパー２に押し付けた状態で、操作摘み４９１を手前に移動すると、係脱部材４６ａ、４６ｂの先端部４６３ａ、４６３ｂが突出して、係止凹部３７１ａ、３７１ｂ内に挿入され、カバー本体４１をロールペーパ２に押し付けた状態で固定される。操作摘み４９１は、カバー本体４１の上側に配置されているので、カバー本体４１のロールペーパ２への押しつけと、操作摘み４９１の操作とを、片手で行うことができる。
【００３７】
カバー本体４１をロールペーパー２に押し付けた状態で、垂れさがっているペーパー２２を破り取る。この破り取りもカバー本体４１が固定されているので、片手で行うことが可能となる。破り取った後、操作摘み４９１を元の位置に戻すと、カバー本体４１の固定が解除され、スプリング７０の復元力により支持軸４０が回転し、カバー本体４１は、当接片４５によって押し上げられる。同時に、揺動部材５１a、５１ｂが上方に揺動し、これにより案内片５４が、ロールペーパー２の外周に沿って前方の案内片待機位置に戻る。この案内片５４の復帰によって、カバー本体４１の押し付けによってロールペーパー２の外周面にくっ付いていたペーパーが剥がされる。
【００３８】
一方、スプリング７０の復元力により揺動アーム７１が上方(矢印b方向)へ引き上げられると、往復駆動部材７４が上昇し、従動ギヤ８１が右回転する。従動ギヤ８１の右回転によって回転軸８３と回転部材８４が右回転する。ラッチ８４１はストッパ８５を押し上げる方向に回転するので、回転部材８４は、回転を妨げられることなく、右回転する。回転軸８３の右回転によって、接続回転部材８６が右回転し、これにより、芯部材６が回転する。芯部材６の回転によってロールペーパー２が回転する。ロールペーパー２が回転する際、最も外側に巻き付けられているペーパー２２は、案内片５４によってロール体２２から剥がれているので、ロールペーパー２の回転によって、正面側に垂れさがり、背面側に巻き込まれることは抑制される。
【００３９】
次に、図７に基づいて、図６における回転駆動手段８に動力伝達手段７の他の構成例について説明する。支持軸４０に基端が固定されている揺動アーム７１の先端には、スプリング７０の一端が接続され、揺動アーム７１の先端が上方へ付勢される構成となっている。既述の構成と同様に、揺動アーム７１は、スプリング７０が変形していないアーム待機位置と、スプリング７０が伸張方向に変形したアーム移動位置との間で揺動する。
【００４０】
揺動アーム７１の先端部には、揺動軸７３を介して係合部材７４aの基端部が揺動自在に接続されている。係合部材７４ａの先端には、係合部である爪７４１ａが設けられている。係合部材７４ａの近傍には、従動部材８４aが配置されている。従動部材８４ａは、回転軸８３ａを中心に回転する円盤であり、円盤の周端には、ラッチ８４１ａが周方向に等間隔で複数個設けられている。
【００４１】
従動部材８４ａの周端部近傍には、従動部材８４ａへ向けて付勢されたストッパ８５ａが配置されている。係止手段としてのストッパ８５ａは、先端がラッチ８４１ａに当接し、この実施形態では従動部材８４ａが左回転不能となるように構成される。従動部材８４ａが右回転(矢印d方向)する場合には、ラッチ８４１ａはストッパ８４aを押し上げて移動でき、回転可能に構成されている。即ち、従動部材８４ａは、一方方向にのみ回転可能に構成されている。
【００４２】
揺動軸７３には、付勢部材であるねじりコイルばね（トーションばね）７３ａが装着されており、該バネ７３aは、前記係合部材７４ａを揺動アーム７１に対して左回転する方向に付勢している。これにより、係合部材７４ａは、従動部材８４ａに押接される方向に付勢される。揺動アーム７１の上下揺動に伴って、係合部材７４ａは、従動部材８４aに接触しつつ上下動する。そして、揺動アーム７１がアーム移動位置からアーム待機位置に復帰する際に、つまり、係合部材７４ａが上昇する際に、係合部材７４ａの爪７４１ａが、従動部材８４ａのラッチ８４１ａに係合し、従動部材８４ａを右回転(矢印d方向)させる。従動部材８４ａの右回転によって、接続回転部材８６が右回転し、これにより、芯部材６が回転する。
【００４３】
上記支持軸４０、揺動アーム７１、係合部材７４ａ、爪７４１ａとによって、動力伝達手段７ａとしての作用を発揮する機構が構成される。従動部材８４ａ、ラッチ８４１ａ、ストッパ８５ａとによって、回動駆動手段８aとしての作用を発揮する機構が構成される。 
以上説明したように、カバー本体４１を押し下げる操作によって、動力伝達手段に動力が伝わり、付勢手段であるスプリング７０を変形させる。さらに、変形したスプリングの復元力は、動力伝達手段によって回動駆動手段に伝達され、回動駆動手段の駆動によってロールペーパー２が回転する。また、動力伝達手段は、待機位置と移動位置との間で往復動するが、待機位置から移動位置に移動する際には回動駆動手段に動力を伝達せず、移動位置から待機位置に移動する場合に回動駆動手段に動力を伝達する構成となっている。
【符号の説明】
【００４４】
１:ロールペーパーホルダー
２:ロールペーパー
３:ホルダー本体
３２、３３:側部材
４：カバー部材
５:案内部材
６:芯部材
７:動力伝達手段
７０:スプリング
８:回動駆動手段
【図１】
2013198714.tif 000003
【図２】
2013198714.tif 000004
【図３】
2013198714.tif 000005
【図４】
2013198714.tif 000006
【図５】
2013198714.tif 000007
【図６】
2013198714.tif 000008
【図７】
2013198714.tif 000009